【手続補正書】
【提出日】平成16年10月8日(2004.10.8)
【手続補正１】
【補正対象書類名】明細書
【補正対象項目名】請求項２
【補正方法】変更
【補正の内容】
【請求項２】  垂直軸線（Ｚ）のまわりに回転するカルーセル上に配した複数の圧縮成形ユニット（Ｓ）からなり、各ユニットが、カルーセルの前記回転軸線（Ｚ）に平行な軸線（Ｘ）に沿って整合した上部雄金型部（１）及び下部雌金型部（２）と、品を形成するのに充分な一回分のプラスティックが雌金型部（２）に入れられる離間位置と、前記キャップの圧縮成形を決めるための結合位置との間を前記金型（１，２）を作動させる手段とからなり、前記雄金型部（１）を構成する管状素子（１３）が前記品の内側プロフィールに合う形状をした管状部（１３ａ）に終わって、管状ステム（６）に関連したエジェクタ（３，９）を有するプラグ（１５）を形成し、前記管状ステム（６）が前記管状部（１３ａ）内をガイドされ、カム手段（９０）により前記品の内側プロフィールを完成する位置と前記品を前記管状部（１３ａ）から取外す位置との間で作動される、容器を閉じるキャップ（Ａ）等の中空品を製造する請求項１に記載の装置において、前記管状素子（１３）の外側に且つそれと共軸に配した套管（３６）と、前記品の外面に隆起部分（Ｆ）及びアンダーカット（Ｇ）を形成する複数のセクタ（４８）と、前記套管（３６）の軸線方向に保持され、前記管状部（１３ａ）に対し拡張可能な前記セクタ（４８）と、前記品が圧縮成形でき、前記品の外面に前記隆起部分及びアンダーカットを形成することができるよう前記管状部（１３ａ）と結合する位置と、前記成形した品を前記プラグ（１５）から取外すことができるよう離間位置との間を前記セクタ手段を作動させる手段とからなることを特徴とする、容器を閉じるキャップ（Ａ）等の中空品を製造する請求項１に記載の装置。
【手続補正２】
【補正対象書類名】明細書
【補正対象項目名】請求項４
【補正方法】変更
【補正の内容】
【請求項４】  弾性手段（６２）が、前記素子（５７）と前記カルーセルとの間に配され、品（Ａ）の成形時に及び前記エジェクタ（３，９）の抜出し行程の第１部分に沿って前記セクタ（４８）と前記管状部（１３ａ）との結合を保つよう前記素子（５７）に作用し、行程リミッタ（５９）が前記素子（５７）のために設けられて、成形品を前記エジェクタ（３，９）により取外すことができるよう前記エジェクタ（３，９）の抜出し行程の第２部分の間、前記傾斜ガイド（５２，５３）に沿った前記セクタ（４８）の摺動及び前記離間位置での前記セクタ（４８）の拡張を決定するように配されていることを特徴とする請求項３に記載の装置。
【手続補正３】
【補正対象書類名】明細書
【補正対象項目名】請求項６
【補正方法】変更
【補正の内容】
【請求項６】  当該装置が垂直軸線（Ｚ）のまわりに回転するカルーセルに配された複数の圧縮成形ユニット（Ｓ）からなり、各ユニットはカルーセルの前記回転軸線（Ｚ）に平行な軸線（Ｘ）に沿って整合した上部雄金型部（１）及び下部雌金型部（２）と、キャップを形成するのに充分な一回分のプラスティックが雌金型部（２）に入れられる降下位置と、前記キャップの圧縮成形を生み出す結合位置との間で前記雌金型部（２）を流体圧持上げする手段とからなり、前記雄金型部（１）を構成するプラグ（１５）が、当該キャップの夫々ねじ山（Ｃ）と内側突起（Ｅ）成形用の螺旋溝（１４）と凹所（１３ｃ）を備えた形作られた管状部（１３ａ）で終る管状素子（１３）と、前記管状素子（１３）内をガイドされ、作動カム（９０）により制御される１端（８４）と前記管状部（１３ａ）内に摺動収容されるエジェクタ（３，９）を備えた他端とを有する中空ステム（６）と、前記管状素子（１３）上を摺動でき、前記凹所（１３ｃ）に重ね合わせることができる端（３５ａ）を有するチューブ（３５）と、前記チューブ（３５）上を摺動できる套管（３６）と、前記套管（３６）上に軸線方向に保持され、前記管状部（１３ａ）に対し半径方向に拡張可能である複数のセクタ（４８）と、前記チューブ（３５）の前記端（３５ａ）より下方のレベルに前記管状部（１３ａ）の方へと突出する端（５１）を形成するセグメント（５０）を備えている前記セクタ（４８）と、各成形ユニット（Ｓ）のセクタ（４８）を作動させる素子（５５，５７）とからなり、該素子が前記套管（３６）上をガイドされ、前記プラグ（１５）の軸線（Ｘ）に対し半径方向の平面上にあり前記軸線の一点へと収束する傾斜ガイド（５２，５３）により前記セクタ（４８）に堅く結合され、前記套管（３６）は軸線方向に堅く柱（６５）に結合され、該柱は前記カルーセル（２７）をガイドされ、前記素子（５７）を制御するカム手段（８８）により制御され、前記素子（５７）及び前記エジェクタ（３，９）を制御する前記カム手段（８８，９０）が相互に連係されることによって、金型を閉じるために雌金型部（２）の位置が上がるとき、前記端（５１）とチューブ（３５）の前記端（３５ａ）が前記凹所（１３ｃ）に対向して配置されて不正開封防止バンド（Ｄ）が形成できるようにし、他方、雌金型部（２）が金型開放位置へと降下するとき、前記管状部（１３ａ）と前記セクタ（４８）が前記チューブ（３５）に対して降下して前記端（５１）と前記端（３５ａ）との間に開口（１０１）を形成するようにして、前記不正開封防止バンド（Ｄ）を前記開口（１０１）に位置決めし、次いでセクタ（４８）の前記端（５１）を形成キャップ（Ａ）から外し、最後にキャップを前記管状部（１３ａ）から取外すことからなる、内ねじ山（Ｃ）と、内側突起（Ｅ）、外側隆起部分（Ｆ）、アンダーカット（Ｇ）を有する不正開封防止バンド（Ｄ）とを備えた円筒形カップ（Ｂ）からなる容器を閉じるねじキャップ（Ａ）を製造する請求項２乃至５のいずれかに記載の装置。
【手続補正４】
【補正対象書類名】明細書
【補正対象項目名】００２０
【補正方法】変更
【補正の内容】
【００２０】
ブッシュ２８は管状素子１３及びスリーブ２５と共に隔室３４を形成し、その中には管状素子１３上を摺動できるチューブ３５があり、チューブ３５上を摺動できる套管３６がある。チューブ３５の下端３５ａは外側が円錐状に面取りされている。
【手続補正５】
【補正対象書類名】明細書
【補正対象項目名】００２６
【補正方法】変更
【補正の内容】
【００２６】
更に又、セクタ４８は円錐形セグメント５０がチューブ３５の下端を超えて下方に突出し、軸線Ｘに対し共軸で溝５１ａを備えた端５１に終り、それは管状素子１３の部分１３ａに面する。従って、端５１はキャップＡの外側に、従来の金型では成形品抜出しに抗する段部Ｇ及びカラーＦ、即ち、アンダーカットを形成することができる。
【手続補正６】
【補正対象書類名】明細書
【補正対象項目名】００２９
【補正方法】変更
【補正の内容】
【００２９】
プレート５７は回転ドラム２７に対しピン５８で堅く連結され（図１及び４参照）、該ピンは一端が前記ドラムの下側に固定され、他端にきのこ状部分５９を備えている。ピン５８はプレート５７の袖６１に形成された孔６０内を摺動でき、袖６１とドラム２７との間のピン５８部分にはばね６２があってその両端は套管６３，６４の介在で袖６１とドラム２７に支えられている。
【手続補正７】
【補正対象書類名】明細書
【補正対象項目名】００３２
【補正方法】変更
【補正の内容】
【００３２】
アーム６９（図１及び３参照）は柱６５の下端にねじ６８により固定され、それの備えている開口７０を介し套管３６がガイドされる。開口７０は、その端が套管３６の２つのカラー７１，７２に把持されたままであるように形作られていて、その套管と柱６５との軸線方向接続を提供するようになっている。套管３６はピン７３によりアーム６９に対し角度をなして位置決めすることができ、前記ピンはアーム６９の半径方向孔７３ａ内をガイドされ、ノブ７４を備えている。伸縮ばね７５に抗して前記ノブに働きかけることにより、ピン７３を套管３６のカラー７１，７２間に形成されている複数の孔のうちいずれか一つと係合させることが可能である。
【手続補正８】
【補正対象書類名】明細書
【補正対象項目名】００４３
【補正方法】変更
【補正の内容】
【００４３】
ばね４５が、チューブ３５に、そしてケース３９のリップ４０により套管３６に作用することにより端５１が肩部１００に載り続け、雌金型部キャビティに入れられる一回分のプラスティックの量的変動による成形チャンバの容量の変動を許すことに注目すべきである。
【手続補正９】
【補正対象書類名】明細書
【補正対象項目名】００５１
【補正方法】変更
【補正の内容】
【００５１】
柱６５と中空ステム６の下降行程の第２部分で（図７参照）、套管３６とステム６に加えられる推力でセクタ４８とエジェクタ３，９が下方に作動し、それによりキャップＡのそれぞれ段部Ｇと底部Ｈに作用することでプラスティックの弾性によってねじ山Ｃが溝１４から、歯Ｅが部分１３ａの各凹所１３ｃから外れ、それによりカップＢが半径方向に拡張でき、不正開封防止バンドＤが開口１０１へと開くことができる。
【手続補正１０】
【補正対象書類名】図面
【補正対象項目名】図３
【補正方法】変更
【補正の内容】
【図３】
2004515381.tif 000001